(57)【要約】【課題】内容物と外気の置換をスムーズに行うことを可能とし、短時間で内容物を容器に詰め替えることができる詰替用パウチを提供する。【解決手段】詰替用パウチ１では、内容物３が密閉充填されたパウチ本体２の上隅部４にて、上隅シール部５によって、内容物流出路６と外気流入路７とが形成されるとともに、上隅シール部５から延設される仕切シール部９によって、内容物流出路６と外気流入路７とがパウチ本体２内で離隔され、上隅シール部５が所定位置にて切断されることにより、内容物流出路６及び外気流入路７がそれぞれ外気に連通されるように構成する。【選択図】図１
2016169043.tif 000002
【特許請求の範囲】
【請求項１】
内容物が密閉充填されたパウチ本体と、
前記パウチ本体の上隅部に内容物流出路と外気流入路とを形成する上隅シール部と、
前記上隅シール部から延設されるとともに前記内容物流出路と外気流入路とを前記パウチ本体内で離隔する仕切シール部とを備え、
前記上隅シール部が所定位置にて切断されることにより、前記内容物流出路及び外気流入路がそれぞれ外気に連通されることを特徴とする詰替用パウチ。
【請求項２】
請求項１に記載する詰替用パウチであって、
前記仕切シール部は、自立状態で前記内容物に向かって傾斜して延設されていることを特徴とする詰替用パウチ。
【請求項３】
請求項１又は請求項２に記載する詰替用パウチであって、
前記外気流入路に密嵌された筒状硬質部品を備えることを特徴とする詰替用パウチ。
【請求項４】
請求項１乃至請求項３のいずれか一つに記載する詰替用パウチであって、
前記パウチ本体内が負圧にされていることを特徴とする詰替用パウチ。
【請求項５】
請求項１乃至請求項４のいずれか一つに記載する詰替用パウチであって、
前記内容物流出路と外気流入路との間に切込部を設けることを特徴とする詰替用パウチ。
【請求項６】
内容物が密閉充填されたパウチ本体と、
前記パウチ本体の上隅部に内容物流出路を形成する上隅シール部と、
前記パウチ本体の上端部に外気流入路を形成する上端シール部と、
前記上端シール部から延設されるとともに前記内容物流出路と外気流入路とを前記パウチ本体内で離隔する仕切シール部とを備え、
前記上隅シール部及び上端シール部が所定位置にて切断されることにより、前記内容物流出路及び外気流入路がそれぞれ外気に連通されることを特徴とする詰替用パウチ。
【発明の詳細な説明】
【技術分野】
【０００１】
本発明は、流動性の内容物をボトル等の容器に移し替えるための詰替用パウチに関するものである。
【背景技術】
【０００２】
従来より、流動性の内容物が密封包装され、その内容物をプラスチックボトルやガラス瓶等の容器に移し替えるための、詰替用パウチに関する技術が知られている。
【０００３】
例えば、下記特許文献１には、内容物を注出するノズルの形状等に改良を施すことにより、ノズルからの注出量を増大させ、短時間で詰め替え作業を終えることができる詰め替え用パウチが記載されている。
【先行技術文献】
【特許文献】
【０００４】
【特許文献１】特許第４３４９０１０号公報
【発明の概要】
【発明が解決しようとする課題】
【０００５】
しかしながら、上記特許文献１に記載の詰め替え用パウチでは、ノズルの口径が小さいと、内容物でノズルが塞がれることがあり、このような場合には、内容物と外気の置換がスムーズに行われない。そのため、詰め替え用パウチを絞る等の外力を加えて、内容物を押し出す必要があり、詰め替え作業に時間がかかってしまうという問題があった。
【０００６】
本発明は、上述した点を鑑みてなされたものであり、内容物と外気の置換をスムーズに行うことを可能とし、短時間で内容物を容器に詰め替えることができる詰替用パウチを提供することを課題とする。
【課題を解決するための手段】
【０００７】
この課題を解決するためになされた請求項１に係る発明は、詰替用パウチであって、内容物が密閉充填されたパウチ本体と、前記パウチ本体の上隅部に内容物流出路と外気流入路とを形成する上隅シール部と、前記上隅シール部から延設されるとともに前記内容物流出路と外気流入路とを前記パウチ本体内で離隔する仕切シール部とを備え、前記上隅シール部が所定位置にて切断されることにより、前記内容物流出路及び外気流入路がそれぞれ外気に連通されることを特徴とする。
【０００８】
請求項２に係る発明は、請求項１に記載する詰替用パウチであって、前記仕切シール部は、自立状態で前記内容物に向かって傾斜して延設されていることを特徴とする。
【０００９】
請求項３に係る発明は、請求項１又は請求項２に記載する詰替用パウチであって、前記外気流入路に密嵌された筒状硬質部品を備えることを特徴とする。
【００１０】
請求項４に係る発明は、請求項１乃至請求項３のいずれか一つに記載する詰替用パウチであって、前記パウチ本体内が負圧にされていることを特徴とする。
【００１１】
請求項５に係る発明は、請求項１乃至請求項４のいずれか一つに記載する詰替用パウチであって、前記内容物流出路と外気流入路との間に切込部を設けることを特徴とする。
【００１２】
請求項６に係る発明は、詰替用パウチであって、内容物が密閉充填されたパウチ本体と、前記パウチ本体の上隅部に内容物流出路を形成する上隅シール部と、前記パウチ本体の上端部に外気流入路を形成する上端シール部と、前記上端シール部から延設されるとともに前記内容物流出路と外気流入路とを前記パウチ本体内で離隔する仕切シール部とを備え、前記上隅シール部及び上端シール部が所定位置にて切断されることにより、前記内容物流出路及び外気流入路がそれぞれ外気に連通されることを特徴とする。
【発明の効果】
【００１３】
請求項１に係る詰替用パウチでは、内容物が密閉充填されたパウチ本体の上隅部にて、上隅シール部によって、内容物流出路と外気流入路とが形成される。さらに、上隅シール部から延設される仕切シール部によって、内容物流出路と外気流入路とがパウチ本体内で離隔される。上隅シール部が所定位置にて切断されると、内容物流出路及び外気流入路が外気に連通される。
【００１４】
この後、内容物流出路が容器の受口に近接対応された状態で詰替用パウチが傾けられると、外気流入路が外気に連通されていることに基づき、パウチ本体内の内容物は容器に移し替えられていく。このように、パウチ本体内で内容物と外気の置換がスムーズに行われるので、短時間で内容物を容器に詰め替えることができる。
【００１５】
請求項２に係る詰替用パウチでは、自立状態にあると、仕切シール部は、パウチ本体内で内容物に向かって傾斜して延設されている。よって、内容物が外気流入路側に侵入した場合でも、詰替用パウチが自立状態に戻れば、内容物が仕切シール部の傾斜に沿って流下していくので、外気流入路を介して内容物がパウチ本体外に流出することを防止できる。
【００１６】
請求項３に係る詰替用パウチでは、外気流入路に密嵌された筒状硬質部品を備える。よって、外気流入路が自己閉塞することを筒状硬質部品で防止することができる。
【００１７】
請求項４に係る詰替用パウチでは、パウチ本体内が負圧にされている。よって、上隅シール部が所定位置で切断されて外気流入路が開口されると、外気流入路が外気に連通され、パウチ本体の内部に外気を強制的に流入させることができる。
【００１８】
請求項５に係る詰替用パウチでは、内容物流出路と外気流入路との間に切込部が設けられる。よって、内容物がボトル等の容器に移し替えられる際は、容器の受口周縁に切込部が係合されることにより、外気流入路をボトルの受口周縁の外に位置させることができるので、パウチ本体内で内容物と外気の置換が妨げられることなくスムーズに行われる。
【００１９】
請求項６に係る詰替用パウチでは、内容物が密閉充填されたパウチ本体の上隅部にて、上隅シール部により内容物流出路が形成される。また、パウチ本体の上端部にて、上端シール部により外気流入路が形成される。さらに、上端シール部から延設される仕切シール部により内容物流出路と外気流入路とがパウチ本体内で離隔される。上隅シール部及び上端シール部が所定位置にて切断されると、内容物流出路及び外気流入路はそれぞれ外気に連通される。
【００２０】
この後、内容物流出路が容器の受口に近接対応された状態で詰替用パウチが傾けられると、外気流入路が外気に連通されていることに基づき、パウチ本体内の内容物は容器に移し替えられていく。このように、パウチ本体内で内容物と外気の置換がスムーズに行われるので、短時間で内容物を容器に詰め替えることができる。
【図面の簡単な説明】
【００２１】
【図１】第１実施形態に係る詰替用パウチを自立状態で模式的に表す説明図である。
【図２】第１実施形態に係る詰替用パウチを自立状態から横にして模式的に表す説明図である。
【図３】筒状硬質部品を表す斜視図である。
【図４】図２の矢視Ａから見た内容物流出路と外気流入路とを表す説明図である。
【図５】切込部を模式的に表す説明図である。
【図６】内容物の詰替時に切込部を使用する状態を模式的に表す説明図である。
【図７】第２実施形態に係る詰替用パウチを自立状態で模式的に表す説明図である。
【図８】第２実施形態に係る詰替用パウチを自立状態から横にして模式的に表す説明図である。
【図９】第１実施形態に係る詰替用パウチの変形例を自立状態で模式的に表す説明図である。
【図１０】第２実施形態に係る詰替用パウチの変形例を自立状態で模式的に表す説明図である。
【発明を実施するための形態】
【００２２】
以下、本発明に係る詰替用パウチについて、本発明を具体化した実施形態に基づき、図面を参照しつつ詳細に説明する。
［１．第１実施形態］
先ず、第１実施形態に基づき、図面を参照しつつ詳細に説明する。
【００２３】
図１に表したように、第１実施形態に係る詰替用パウチ１は、自立型のパウチ本体２を有する。パウチ本体２では、その外周がヒートシールされ、内容物３が密閉充填される。内容物３は、流動性を有し、例えば、洗剤、シャンプー、コンディショナー等、トイレタリー関係の液体である。
【００２４】
パウチ本体２の上隅部４には、上隅シール部５がヒートシールにより設けられる。上隅シール部５には、内容物流出路６と外気流入路７とが隣接して形成される。また、上隅シール部５には、内容物流出路６と外気流入路７とを横切る切取ライン８が設けられる。
【００２５】
さらに、上隅シール部５には、上隅シール部５から延出した長尺状の仕切シール部９がヒートシールにより設けられる。仕切シール部９によって、内容物流出路６と外気流入路７とがパウチ本体２内で離隔される。
【００２６】
また、仕切シール部９は、上隅シール部５から内容物３の表面１０に向かって傾斜して延設されている。つまり、図１に表したように、第１実施形態に係る詰替用パウチ１が自立状態にある場合には、仕切シール部９は、パウチ本体２内で内容物３の表面１０に向かって傾斜する。さらに、仕切シール部９の先端１１は、パウチ本体２内で内容物３の表面１０に対して直上近傍に位置する。
【００２７】
従って、パウチ本体２内には、外気流入路７に連通する外気導通領域１２が仕切シール部９で形成される。
【００２８】
第１実施形態に係る詰替用パウチ１が開封される際は、切取ライン８に沿って、上隅シール部５が切り離される。その結果、パウチ本体２の上隅部４では、内容物流出路６と外気流入路７とが開口され、外気に連通される。
【００２９】
この後、内容物流出路６がボトルＢの受口周縁Ｂ１（図６参照）に近接対応された状態で詰替用パウチ１が傾けられると、外気流入路７が外気に連通されていることに基づき、パウチ本体２内の内容物３はボトルＢに移し替えられていく。このように、パウチ本体２内で内容物３と外気の置換がスムーズに行われるので、短時間で内容物３をボトルＢに詰め替えることができる。
【００３０】
尚、前記詰替作業の途中において、図２に表したように、外気流入路７よりも内容物流出路６が下方に位置するようにして、第１実施形態に係る詰替用パウチ１が横にされると、内容物流出路６から内容物３が流出し、外気流入路７から外気が流入する。
【００３１】
外気流入路７から流入した外気は、パウチ本体２内で、外気導通領域１２を経由して、内容物３の表面１０上に導かれる。同時に、パウチ本体２内では、仕切シール部９により、外気導通領域１２に内容物３が侵入することを防ぐ。
【００３２】
以上より、第１実施形態に係る詰替用パウチ１では、内容物３が密閉充填されたパウチ本体２の上隅部４にて、上隅シール部５によって、内容物流出路６と外気流入路７とが形成される。さらに、上隅シール部５から延設される仕切シール部９によって、内容物流出路６と外気流入路７とがパウチ本体２内で離隔される。上隅シール部５が切取ライン８に沿って切断されると、内容物流出路６及び外気流入路７が外気に連通される。
【００３３】
この後、前記した詰替作業を行っていく際は、外気流入路７が外気に連通されていることに基づき、パウチ本体２内で内容物３と外気の置換がスムーズに行われるので、短時間で内容物３をボトルＢに詰め替えることができる。
【００３４】
また、第１実施形態に係る詰替用パウチ１では、図１に表したような自立状態にあると、仕切シール部９は、パウチ本体２内で内容物３に向かって傾斜して延設されている。よって、内容物３が外気流入路７側に侵入した場合でも、詰替用パウチ１が自立状態に戻れば、内容物３が仕切シール部９の傾斜に沿って流下していくので、外気流入路７を介して内容物がパウチ本体２外に流出することを防止できる。
【００３５】
また、第１実施形態に係る詰替用パウチ１では、図１に表したような自立状態にあると、仕切シール部９の先端１１は、パウチ本体２内で内容物３の表面１０に対して直上近傍に位置する。よって、外気導通領域１２を最も大きく確保することができる。
【００３６】
尚、本発明は上記第１実施形態に限定されるものでなく、その趣旨を逸脱しない範囲で様々な変更が可能である。
【００３７】
例えば、第１実施形態に係る詰替用パウチ１において、図３に表したプラスチック製の筒状硬質部品１３を、図４に表したように、外気流入路７の内側に密嵌させてもよい。このような場合には、外気流入路７が自己閉塞することを筒状硬質部品１３で防止することができる。つまり、外気流入路７の口元がつぶれることを筒状硬質部品１３で防止することができる。
【００３８】
また、第１実施形態に係る詰替用パウチ１において、パウチ本体２では、その外周がヒートシールされ、内容物３が密閉充填される。その際、パウチ本体２内が負圧にされてもよい。このような場合には、上隅シール部５が切り取られ、外気流入路７が開口されると、外気流入路７が外気に連通され、外気導通領域１２に外気を強制的に流入させることができる。
【００３９】
また、第１実施形態に係る詰替用パウチ１において、図５に表したように、内容物流出路６と外気流入路７との間に切込部１４が設けられてもよい。このような場合に、内容物３がボトルＢ（図６参照）に移し替えられる際は、図６に表したように、ボトルＢの受口周縁Ｂ１に切込部１４が係合されることにより、外気流入路７をボトルＢの受口周縁Ｂ１の外に位置させることができるので、パウチ本体２内で内容物３と外気の置換が妨げられることなくスムーズに行われる。
【００４０】
［２．第２実施形態］
次に、本発明を具体化した第２実施形態に基づき、図面を参照しつつ詳細に説明する。
【００４１】
図７に表したように、第２実施形態に係る詰替用パウチ１０１は、自立型のパウチ本体１０２を有する。パウチ本体１０２では、その外周がヒートシールされ、内容物１０３が密閉充填される。内容物１０３は、流動性を有し、例えば、洗剤、シャンプー、コンディショナー等、トイレタリー関係の液体である。
【００４２】
パウチ本体１０２の上隅部１０４には、上隅シール部１０５がヒートシールにより設けられる。上隅シール部１０５には、内容物流出路１０６が形成される。また、上隅シール部１０５には、内容物流出路１０６を横切る切取ライン１０７が設けられる。
【００４３】
パウチ本体１０２の上端部１０８には、上端シール部１０９がヒートシールにより設けられる。上端シール部１０９には、外気流入路１１０が形成される。また、上端シール部１０９には、外気流入路１１０を横切る切取ライン１１１が設けられる。
【００４４】
さらに、上端シール部１０９には、上端シール部１０９から延出した長尺状の仕切シール部１１２がヒートシールにより設けられる。仕切シール部１１２によって、内容物流出路１０６と外気流入路１１０とがパウチ本体１０２内で離隔される。
【００４５】
また、仕切シール部１１２は、上端シール部１０９から内容物１０３の表面１１３に向かって設けられる。つまり、図７に表したように、第２実施形態に係る詰替用パウチ１０１が自立状体にある場合には、仕切シール部１１２は、パウチ本体１０２内で内容物１０３の表面１１３に向かって傾斜する。さらに、仕切シール部１１２の先端１１４は、パウチ本体１０２内で内容物１０３の表面１１３に対して直上近傍に位置する。
【００４６】
従って、パウチ本体１０２内には、外気流入路１１０に連通する外気導通領域１１５が仕切シール部１１２で形成される。
【００４７】
第２実施形態に係る詰替用パウチ１０１が開封される際は、切取ライン１０７に沿って上隅シール部１０５が切り離され、切取ライン１１１に沿って上端シール部１０９が切り離される。その結果、パウチ本体１０２の上隅部１０４では内容物流出路１０６が開口され、パウチ本体１０２の上端部１０８では外気流入路１１０が開口され、内容物流出路１０６及び外気流入路１１０が外気に連通される。
【００４８】
この後、内容物流出路１０６がボトルＢの受口周縁Ｂ１（図６参照）に近接対応された状態で詰替用パウチ１０１が傾けられると、外気流入路１１０が外気に連通されていることに基づき、パウチ本体１０２内の内容物１０３がボトルＢに移し替えられていく。このように、パウチ本体１０２内で内容物１０３と外気の置換がスムーズに行われるので、短時間で内容物１０３をボトルＢに詰め替えることができる。
【００４９】
尚、前記詰替作業の途中において、図８に表したように、外気流入路１１０よりも内容物流出路１０６が下方に位置するようにして、第２実施形態に係る詰替用パウチ１０１が横にされると、内容物流出路１０６から内容物１０３が流出し、外気流入路１１０から外気が流入する。
【００５０】
外気流入路１１０から流入した外気は、パウチ本体１０２内で、外気導通領域１１５を経由して、内容物１０３の表面１１３上に導かれる。同時に、パウチ本体１０２内では、仕切シール部１１２により、外気導通領域１１５に内容物１０３が侵入することを防ぐ。
【００５１】
以上より、第２実施形態に係る詰替用パウチ１０１では、内容物１０３が密閉充填されたパウチ本体１０２の上隅部１０４にて、上隅シール部１０５によって、内容物流出路１０６が形成される。また、パウチ本体１０２の上端部１０８にて、上端シール部１０９によって、外気流入路１１０が形成される。さらに、上端シール部１０９から延設される仕切シール部１１２によって、内容物流出路１０６と外気流入路１１０とがパウチ本体１０２内で離隔される。上隅シール部１０５及び上端シール部１０９が切取ライン１０７，１１１に沿って切断されると、内容物流出路１０６及び外気流入路１１０が外気に連通される。
【００５２】
この後、前記した詰替作業を行っていく際は、外気流入路１１０が外気に連通されていることに基づき、パウチ本体１０２内で内容物１０３と外気の置換がスムーズに行われるので、短時間で内容物１０３をボトルＢに詰め替えることができる。
【００５３】
また、第２実施形態に係る詰替用パウチ１０１では、図７に表したような自立状態にあると、仕切シール部１１２は、パウチ本体１０２内で内容物１０３に向かって傾斜して延設されている。よって、内容物１０３が外気流入路１１０側に侵入した場合でも、詰替用パウチ１０１が自立状態に戻れば、内容物１０３が仕切シール部１１２の傾斜に沿って流下していくので、外気流入路１１０を介して内容物１０３がパウチ本体１０２外に流出することを防止できる。
【００５４】
また、第２実施形態に係る詰替用パウチ１０１では、図７に表したような自立状態にあると、仕切シール部１１２の先端１１４は、パウチ本体１０２内で内容物１０３の表面１１３に対して直上近傍に位置する。よって、外気導通領域１１５を最も大きく確保することができる。
【００５５】
尚、本発明は上記第２実施形態に限定されるものでなく、その趣旨を逸脱しない範囲で様々な変更が可能である。
【００５６】
例えば、第２実施形態に係る詰替用パウチ１０１において、図３に表したプラスチック製の筒状硬質部品１３を、上記第１実施形態と同様にして、外気流入路１１０の内側に密嵌させてもよい。このような場合には、外気流入路１１０が自己閉塞することを筒状硬質部品１３で防止することができる。つまり、外気流入路１１０の口元がつぶれることを筒状硬質部品１３で防止することができる。
【００５７】
また、第２実施形態に係る詰替用パウチ１０１において、パウチ本体１０２では、その外周がヒートシールされ、内容物１０３が密閉充填される。その際、パウチ本体１０２内が負圧にされてもよい。このような場合には、上端シール部１０９が切り取られ、外気流入路１１０が開口されると、外気流入路１１０が外気に連通され、外気導通領域１１５に外気を強制的に流入させることができる。
【００５８】
［３．他の実施形態］
さらに、本発明は上記第１実施形態や上記第２実施形態に限定されるものでなく、その趣旨を逸脱しない範囲で様々な変更が可能である。
【００５９】
例えば、図９に表した他の実施形態に係る詰替用パウチ２０１は、第１実施形態に係る詰替用パウチ１の変形例である。図９では、第１実施形態に係る詰替用パウチ１と実質的に共通する部分には同一の符号を付し、詳しい説明を省略する。
【００６０】
図９に表した他の実施形態に係る詰替用パウチ２０１では、仕切シール部２０９がパウチ本体２の上端部２０２に平行に設けられる。従って、パウチ本体２内では、外気流入路７に連通する外気導通領域２１２が仕切シール部２０９によって流路状に形成される。さらに、仕切シール部２０９の先端２１１は、パウチ本体２内で内容物３の表面１０から離れた箇所に位置する。
【００６１】
また、図１０に表した更に他の実施形態に係る詰替用パウチ３０１は、第２実施形態に係る詰替用パウチ１０１の変形例である。図１０では、第２実施形態に係る詰替用パウチ１０１と実質的に共通する部分には同一の符号を付し、詳しい説明を省略する。
【００６２】
図１０に表した他の実施形態に係る詰替用パウチ３０１では、仕切シール部３１２がパウチ本体１０２の上端部１０８に平行に設けられる。従って、パウチ本体１０２内では、外気流入路１１０に連通する外気導通領域３１５が仕切シール部３１２によって流路状に形成される。さらに、仕切シール部３１２の先端３１４は、パウチ本体１０２内で内容物１０３の表面１１３から離れた箇所に位置する。
【符号の説明】
【００６３】
１  詰替用パウチ
２  パウチ本体
３  内容物
４  パウチ本体の上隅部
５  上隅シール部
６  内容物流出路
７  外気流入路
９  仕切シール部
１３  筒状硬質部品
１４  切込部
１０１  詰替用パウチ
１０２  パウチ本体
１０３  内容物
１０４  パウチ本体の上隅部
１０５  上隅シール部
１０６  内容物流出路
１０８  パウチ本体の上端部
１０９  上端シール部
１１０  外気流入路
１１２  仕切シール部
２０１  詰替用パウチ
２０９  仕切シール部
３０１  詰替用パウチ
３１２  仕切シール部
【図１】
2016169043.tif 000003
【図２】
2016169043.tif 000004
【図３】
2016169043.tif 000005
【図４】
2016169043.tif 000006
【図５】
2016169043.tif 000007
【図６】
2016169043.tif 000008
【図７】
2016169043.tif 000009
【図８】
2016169043.tif 000010
【図９】
2016169043.tif 000011
【図１０】
2016169043.tif 000012